(57)【特許請求の範囲】
【請求項１】
デジタル送信機の変調回路であって、当該変調回路が、第１の同期回路及びデジタル変調器を含み、前記第１の同期回路が、第１の同期ユニット及び第２の同期ユニットを含み、
前記第１の同期ユニットが、第１のデジタルベースバンド信号及び第１のローカル周波数信号を別々に受信し、前記第１のローカル周波数信号に対して位相遅延を実行して第１の遅延信号を取得するとともに、前記第１の遅延信号を使用することによって前記第１のデジタルベースバンド信号に対して位相調整を実行して、第１の調整された信号を生成し、それによって、前記第１の調整された信号の立ち上がりエッジ及び立ち下がりエッジが共に、前記第１のローカル周波数信号のローレベル範囲内に入るように構成されており、
前記第２の同期ユニットが、前記第１のデジタルベースバンド信号及び第２のローカル周波数信号を別々に受信し、前記第２のローカル周波数信号に対して位相遅延を実行して第２の遅延信号を取得するとともに、前記第２の遅延信号を使用することによって前記第１のデジタルベースバンド信号に対して位相調整を実行して、第２の調整された信号を生成し、それによって、前記第２の調整された信号の立ち上がりエッジ及び立ち下がりエッジが、前記第２のローカル周波数信号のローレベル範囲内に入り、前記第１のローカル周波数信号及び前記第２のローカル周波数信号が差動信号であり、前記第１の遅延信号及び前記第２の遅延信号の位相遅延が同じであるように構成されており、
前記デジタル変調器が、別々に、前記第１のローカル周波数信号を使用することによって前記第１の調整された信号を変調して、第１の無線周波数信号を生成するとともに、前記第２のローカル周波数信号を使用することによって前記第２の調整された信号を変調して、第２の無線周波数信号を生成するように構成されており、
当該変調回路が、第２の同期回路を更に含み、前記第２の同期回路が、第３の同期ユニット及び第４の同期ユニットを含み、
前記第３の同期ユニットが、第２のデジタルベースバンド信号及び前記第１のローカル周波数信号を別々に受信し、前記第１のローカル周波数信号に対して位相遅延を実行して第３の遅延信号を取得するとともに、前記第３の遅延信号を使用することによって前記第２のデジタルベースバンド信号に対して位相調整を実行して、第３の調整された信号を生成し、それによって、前記第３の調整された信号の立ち上がりエッジ及び立ち下がりエッジが共に、前記第１のローカル周波数信号の前記ローレベル範囲内に入るように構成されており、
前記第４の同期ユニットが、前記第２のデジタルベースバンド信号及び前記第２のローカル周波数信号を別々に受信し、前記第２のローカル周波数信号に対して位相遅延を実行して第４の遅延信号を取得するとともに、前記第４の遅延信号を使用することによって前記第２のデジタルベースバンド信号に対して位相調整を実行して、第４の調整された信号を生成し、それによって、前記第４の調整された信号の立ち上がりエッジ及び立ち下がりエッジが共に、前記第２のローカル周波数信号の前記ローレベル範囲内に入り、前記第１のデジタルベースバンド信号及び前記第２のデジタルベースバンド信号が差動信号であり、前記第３の遅延信号及び前記第４の遅延信号の位相遅延が同じであるように構成されており、
前記デジタル変調器が、別々に、前記第１のローカル周波数信号を使用することによって前記第３の調整された信号を変調して、第３の無線周波数信号を生成するとともに、前記第２のローカル周波数信号を使用することによって前記第４の調整された信号を変調して、第４の無線周波数信号を生成し、それから、前記第１の無線周波数信号及び前記第４の無線周波数信号を重ねて、第１の無線周波数出力信号を取得するとともに、前記第２の無線周波数信号及び前記第３の無線周波数信号を重ねて、第２の無線周波数出力信号を取得するように更に構成されている、変調回路。
【請求項２】
前記第１の同期ユニットが、第１の遅延器及び第１のＤフリップフロップを含み、
前記第１の遅延器が、前記第１のローカル周波数信号に対して位相遅延を実行して前記第１の遅延信号を取得するとともに、前記第１の遅延信号を第１のクロック信号として前記第１のＤフリップフロップに入力するように構成されており、
前記第１のＤフリップフロップが、前記第１のクロック信号のトリガリングに従って前記第１のデジタルベースバンド信号に対して位相調整を実行して前記第１の調整された信号を出力し、
前記第２の同期ユニットが、第２の遅延器及び第２のＤフリップフロップを含み、
前記第２の遅延器が、前記第２のローカル周波数信号に対して位相遅延を実行して前記第２の遅延信号を取得するとともに、前記第２の遅延信号を第２のクロック信号として前記第２のＤフリップフロップに入力するように構成されており、
前記第２のＤフリップフロップが、前記第２のクロック信号のトリガリングに従って前記第１のデジタルベースバンド信号に対して位相調整を実行して前記第２の調整された信号を出力する、請求項１に記載の変調回路。
【請求項３】
前記デジタル変調器が、第１のデジタル変調ユニット及び第２のデジタル変調ユニットを含み、
前記第１のデジタル変調ユニットが、前記第１のローカル周波数信号及び前記第１の調整された信号を受信し、前記第１のローカル周波数信号及び前記第１の調整された信号に対して論理ＡＮＤ演算を実行して前記第１の無線周波数信号を出力するように構成されており、
前記第２のデジタル変調ユニットが、前記第２のローカル周波数信号及び前記第２の調整された信号を受信し、前記第２のローカル周波数信号及び前記第２の調整された信号に対して論理ＡＮＤ演算を実行して前記第２の無線周波数信号を出力するように構成されている、請求項１又は２に記載の変調回路。
【請求項４】
前記第３の同期ユニットが、第３の遅延器及び第３のＤフリップフロップを含み、
前記第３の遅延器が、前記第１のローカル周波数信号に対して位相遅延を実行して第３の遅延信号を取得するとともに、前記第３の遅延信号を第３のクロック信号として前記第３のＤフリップフロップに入力するように構成されており、
前記第３のＤフリップフロップが、前記第３のクロック信号のトリガリングに従って前記第２のデジタルベースバンド信号に対して位相調整を実行して、前記第３の調整された信号を出力するように構成されており、
前記第４の同期ユニットが、第４の遅延器及び第４のＤフリップフロップを含み、
前記第４の遅延器が、前記第２のローカル周波数信号に対して位相遅延を実行して第４の遅延信号を取得するとともに、前記第４の遅延信号を第４のクロック信号として前記第４のＤフリップフロップに入力するように構成されており、
前記第４のＤフリップフロップが、前記第４のクロック信号のトリガリングに従って前記第２のデジタルベースバンド信号に対して位相調整を実行して、前記第４の調整された信号を出力するように構成されている、請求項１から請求項３のいずれか一項に記載の変調回路。
【請求項５】
前記デジタル変調器が、第３のデジタル変調ユニット及び第４のデジタル変調ユニットを含み、
前記第３のデジタル変調ユニットが、第１のＡＮＤ論理ユニット、第２のＡＮＤ論理ユニット、及び第１のＯＲ論理ユニットを含み、前記第１のＡＮＤ論理ユニットが、入力される前記第１のローカル周波数信号及び前記第１の調整された信号に対して論理ＡＮＤ演算を実行して、前記第１の無線周波数信号を生成するように構成されており、前記第２のＡＮＤ論理ユニットが、入力される前記第２のローカル周波数信号及び前記第４の調整された信号に対して論理ＡＮＤ演算を実行して、前記第４の無線周波数信号を生成するように構成されており、前記第１のＯＲ論理ユニットが、前記第１の無線周波数信号及び前記第４の無線周波数信号に対して論理ＯＲ演算を実行して、前記第１の無線周波数出力信号を出力するように構成されており、
前記第４のデジタル変調ユニットが、第３のＡＮＤ論理ユニット、第４のＡＮＤ論理ユニット、及び第２のＯＲ論理ユニットを含み、前記第３のＡＮＤ論理ユニットが、入力される前記第１のローカル周波数信号及び前記第３の調整された信号に対して論理ＡＮＤ演算を実行して、前記第２の無線周波数信号を生成するように構成されており、前記第４のＡＮＤ論理ユニットが、入力される前記第２のローカル周波数信号及び前記第２の調整された信号に対して論理ＡＮＤ演算を実行して、前記第３の無線周波数信号を生成するように構成されており、前記第２のＯＲ論理ユニットが、前記第２の無線周波数信号及び前記第３の無線周波数信号に対して論理ＯＲ演算を実行して、前記第２の無線周波数出力信号を出力するように構成されている、請求項１から請求項４のいずれか一項に記載の変調回路。
【請求項６】
前記Ｄフリップフロップのうちのいずれか１つが、クロック信号立ち上がりエッジによってトリガーされるＤフリップフロップである、請求項２又は４に記載の変調回路。
【請求項７】
デジタル送信機であって、当該デジタル送信機が、
２つの入力直交信号に対して振幅位相分離を実行して、振幅変調ＡＭ信号及び位相変調ＰＭ信号を生成するように構成されている振幅位相分離モジュールと、
前記ＡＭ信号を処理して、デジタルベースバンド信号を生成するように構成されているＡＭ信号処理モジュールと、
前記ＰＭ信号を変調して、第１のローカル周波数信号及び第２のローカル周波数信号を生成するように構成されているデジタル位相同期ループであって、前記第１のローカル周波数信号及び前記第２のローカル周波数信号が差動信号である、デジタル位相同期ループと、
請求項１から６のいずれか一項に記載のデジタル送信機の変調回路であって、前記第１のデジタルベースバンド信号、前記第１のローカル周波数信号、及び前記第２のローカル周波数信号に従って第１の無線周波数信号及び第２の無線周波数信号を生成するように構成されている、変調回路と、
差動的に入力される前記第１の無線周波数信号及び前記第２の無線周波数信号を受信して、前記第１の無線周波数信号及び前記第２の無線周波数信号を出力用のアナログ信号に変換するように構成されているデジタル／アナログ変換回路とを含む、デジタル送信機。
【請求項８】
デジタル送信機であって、当該デジタル送信機が、
差動的に入力される第１の入力信号を受信し、第１のデジタルベースバンド信号及び第２のデジタルベースバンド信号を生成するように構成されている第１のデジタルシグナルプロセッサと、
差動的に入力される第２の入力信号を受信し、第３のデジタルベースバンド信号及び第４のデジタルベースバンド信号を生成するように構成されている第２のデジタルシグナルプロセッサであって、前記第１の入力信号及び前記第２の入力信号が同相及び直交信号である、第２のデジタルシグナルプロセッサと、
ローカル周波数信号の第１のグループ及びローカル周波数信号の第２のグループを生成するように構成されているデジタル位相同期ループであって、ローカル周波数信号の前記第１のグループが、ローカル周波数信号の前記第２のグループに直交しており、ローカル周波数信号の前記第１のグループが、互いに差動的である第１のローカル周波数信号及び第２のローカル周波数信号を含み、ローカル周波数信号の前記第２のグループが、互いに差動的である第３のローカル周波数信号及び第４のローカル周波数信号を含む、デジタル位相同期ループと、
前記第１のデジタルベースバンド信号、前記第２のデジタルベースバンド信号、前記第１のローカル周波数信号、及び前記第２のローカル周波数信号を受信し、前記第１のローカル周波数信号に対して位相遅延を実行し、次いで前記第１のデジタルベースバンド信号に対して位相調整を実行して、第１の調整された信号を生成し、それによって、前記第１の調整された信号の立ち上がりエッジ及び立ち下がりエッジが共に、前記第１のローカル周波数信号のローレベル範囲内に入り、前記第２のローカル周波数信号に対して位相遅延を実行し、次いで前記第１のデジタルベースバンド信号に対して位相調整を実行して、第２の調整された信号を生成し、それによって、前記第２の調整された信号の立ち上がりエッジ及び立ち下がりエッジが共に、前記第２のローカル周波数信号のローレベル範囲内に入り、前記第１のローカル周波数信号に対して位相遅延を実行し、次いで前記第２のデジタルベースバンド信号に対して位相調整を実行して、第３の調整された信号を生成し、それによって、前記第３の調整された信号の立ち上がりエッジ及び立ち下がりエッジが共に、前記第１のローカル周波数信号の前記ローレベル範囲内に入り、前記第２のローカル周波数信号に対して位相遅延を実行し、次いで前記第２のデジタルベースバンド信号に対して位相調整を実行して、第４の調整された信号を生成し、それによって、前記第４の調整された信号の立ち上がりエッジ及び立ち下がりエッジが共に、前記第２のローカル周波数信号の前記ローレベル範囲内に入り、前記第１のローカル周波数信号を使用することによって前記第１の調整された信号を変調して、第１の無線周波数信号を生成し、前記第２のローカル周波数信号を使用することによって前記第２の調整された信号を変調して、第２の無線周波数信号を生成し、前記第１のローカル周波数信号を使用することによって前記第３の調整された信号を変調して、第３の無線周波数信号を生成し、前記第２のローカル周波数信号を使用することによって前記第４の調整された信号を変調して、第４の無線周波数信号を生成し、前記第１の無線周波数信号及び前記第４の無線周波数信号を重ねて、第１の無線周波数出力信号を取得するとともに、前記第２の無線周波数信号及び前記第３の無線周波数信号を重ねて、第２の無線周波数出力信号を取得するように構成されている第１の変調回路と、
前記第３のデジタルベースバンド信号、前記第４のデジタルベースバンド信号、前記第３のローカル周波数信号、及び前記第４のローカル周波数信号を受信し、前記第３のローカル周波数信号に対して位相遅延を実行し、次いで前記第３のデジタルベースバンド信号に対して位相調整を実行して、第５の調整された信号を生成し、それによって、前記第５の調整された信号の立ち上がりエッジ及び立ち下がりエッジが共に、前記第３のローカル周波数信号のローレベル範囲内に入り、前記第４のローカル周波数信号に対して位相遅延を実行し、次いで前記第３のデジタルベースバンド信号に対して位相調整を実行して、第６の調整された信号を生成し、それによって、前記第６の調整された信号の立ち上がりエッジ及び立ち下がりエッジが共に、前記第４のローカル周波数信号のローレベル範囲内に入り、前記第３のローカル周波数信号に対して位相遅延を実行し、次いで前記第４のデジタルベースバンド信号に対して位相調整を実行して、第７の調整された信号を生成し、それによって、前記第７の調整された信号の立ち上がりエッジ及び立ち下がりエッジが共に、前記第３のローカル周波数信号の前記ローレベル範囲内に入り、前記第４のローカル周波数信号に対して位相遅延を実行し、次いで前記第４のデジタルベースバンド信号に対して位相調整を実行して、第８の調整された信号を生成し、それによって、前記第８の調整された信号の立ち上がりエッジ及び立ち下がりエッジが共に、前記第４のローカル周波数信号の前記ローレベル範囲内に入り、前記第３のローカル周波数信号を使用することによって前記第５の調整された信号を変調して、第５の無線周波数信号を生成し、前記第４のローカル周波数信号を使用することによって前記第６の調整された信号を変調して、第６の無線周波数信号を生成し、前記第３のローカル周波数信号を使用することによって前記第７の調整された信号を変調して、第７の無線周波数信号を生成し、前記第４のローカル周波数信号を使用することによって前記第８の調整された信号を変調して、第８の無線周波数信号を生成し、前記第５の無線周波数信号及び前記第８の無線周波数信号を重ねて、第３の無線周波数出力信号を取得するとともに、前記第６の無線周波数信号及び前記第７の無線周波数信号を重ねて、第４の無線周波数出力信号を取得するように構成されている第２の変調回路と、
前記第１の無線周波数出力信号及び前記第２の無線周波数出力信号を出力用の第１のアナログ信号に変換するように構成されている第１の無線周波数デジタル／アナログコンバータと、
前記第３の無線周波数出力信号及び前記第４の無線周波数出力信号を出力用の第２のアナログ信号に変換するように構成されている第２の無線周波数デジタル／アナログコンバータとを含む、デジタル送信機。
【請求項９】
信号変調方法であって、当該方法が、
第１のデジタルベースバンド信号及び第１のローカル周波数信号を受信し、前記第１のローカル周波数信号に対して位相遅延を実行して第１の遅延信号を取得するとともに、前記第１の遅延信号を使用することによって前記第１のデジタルベースバンド信号に対して位相調整を実行して、第１の調整された信号を生成し、それによって、前記第１の調整された信号の立ち上がりエッジ及び立ち下がりエッジが共に、前記第１のローカル周波数信号のローレベル範囲内に入るステップと、
前記第１のデジタルベースバンド信号及び第２のローカル周波数信号を受信し、前記第２のローカル周波数信号に対して位相遅延を実行して第２の遅延信号を取得するとともに、前記第２の遅延信号を使用することによって前記第１のデジタルベースバンド信号に対して位相調整を実行して、第２の調整された信号を生成し、それによって、前記第２の調整された信号の立ち上がりエッジ及び立ち下がりエッジが共に、前記第２のローカル周波数信号のローレベル範囲内に入るステップであって、前記第１のローカル周波数信号及び前記第２のローカル周波数信号が差動信号であり、前記第１の遅延信号及び前記第２の遅延信号の位相遅延が同じである、ステップと、
前記第１のローカル周波数信号を使用することによって前記第１の調整された信号を変調して、第１の無線周波数信号を生成し、前記第２のローカル周波数信号を使用することによって前記第２の調整された信号を変調して、第２の無線周波数信号を生成するステップとを含み、
当該方法が、
第２のデジタルベースバンド信号及び前記第１のローカル周波数信号を受信し、前記第１のローカル周波数信号に対して位相遅延を実行して第３の遅延信号を取得するとともに、前記第３の遅延信号を使用することによって前記第２のデジタルベースバンド信号に対して位相調整を実行して、第３の調整された信号を生成し、それによって、前記第３の調整された信号の立ち上がりエッジ及び立ち下がりエッジが共に、前記第１のローカル周波数信号の前記ローレベル範囲内に入るステップと、
前記第２のデジタルベースバンド信号及び前記第２のローカル周波数信号を受信し、前記第２のローカル周波数信号に対して位相遅延を実行して第４の遅延信号を取得するとともに、前記第４の遅延信号を使用することによって前記第２のデジタルベースバンド信号に対して位相調整を実行して、第４の調整された信号を生成し、それによって、前記第４の調整された信号の立ち上がりエッジ及び立ち下がりエッジが共に、前記第２のローカル周波数信号の前記ローレベル範囲内に入るステップであって、前記第１のデジタルベースバンド信号及び前記第２のデジタルベースバンド信号が差動信号であり、前記第３の遅延信号及び前記第４の遅延信号の位相遅延が同じである、ステップと、
前記第１のローカル周波数信号を使用することによって前記第３の調整された信号を変調して、第３の無線周波数信号を生成し、前記第２のローカル周波数信号を使用することによって前記第４の調整された信号を変調して、第４の無線周波数信号を生成し、前記第１の無線周波数信号及び前記第４の無線周波数信号を重ねて、第１の無線周波数出力信号を取得するとともに、前記第２の無線周波数信号及び前記第３の無線周波数信号を重ねて、第２の無線周波数出力信号を取得するステップとを更に含む、方法。
【発明の詳細な説明】
【技術分野】
【０００１】
本出願は、２０１４年６月２４日に中国特許庁に出願された“MODULATION  CIRCUIT  OF  DIGITAL  TRANSMITTER,  DIGITAL  TRANSMITTER,  AND  SIGNAL  MODULATION  METHOD”という名称の中国特許出願第２０１４１０２８７１４１．６号に対する優先権を主張するものであり、この中国特許出願は、その全体が参照によって本明細書に組み込まれている。
【０００２】
技術分野
本発明は、ワイヤレス通信テクノロジーの分野に関し、詳細には、デジタル送信機の変調回路、デジタル送信機、及び信号変調方法に関する。
【背景技術】
【０００３】
現在、主流のデジタル送信機は、デジタルカーテシアン型送信機（Digital  Cartesian  Transmitter、ＤＣＴ）及びデジタルポーラ送信機（Digital  Polar  Transmitter、ＤＰＴ）に分類され、両方のタイプのデジタル送信機は、デジタルベースバンド信号を無線周波数信号へ変調することができるデジタル変調器を含む。
【０００４】
既存のデジタル変調器は通常、論理ゲート（ＡＮＤゲート）を使用することによってデジタルベースバンド信号（Baseband、ＢＢ）及びローカル周波数信号（ＬＯ）を変調する。図１において示されているように、変調された無線周波数信号ＲＦ＿ｄａｔａが理想の波形を実現することを保証するために、デジタルベースバンド信号ＢＢ及びローカル周波数信号（local  frequency、ＬＯ）が論理ゲートに入る前に、デジタルベースバンド信号ＢＢ及びローカル周波数信号ＬＯの位相が十分に制御される必要がある。デジタルベースバンド信号ＢＢ及びローカル周波数信号ＬＯのエッジどうしが位置合わせされた後に、論理ＡＮＤ演算が実行され、それによって、変調された無線周波数信号ＲＦ＿ｄａｔａは、理想の波形を実現することができる。
【０００５】
しかしながら、実際には、ローカル周波数信号ＬＯの周波数及びデジタルベースバンド信号ＢＢのデータレートが最大でＧＨｚ（G  samples/s）に達するケースにおいては、並びに電圧、温度、及び技術の偏りがあるケースにおいては、デジタルベースバンド信号ＢＢ及びローカル周波数信号ＬＯのエッジどうしを位置合わせすることは非常に困難である。図２において示されているように、論理ＡＮＤ演算は、デジタルベースバンド信号ＢＢ及びローカル周波数信号ＬＯのエッジどうしが位置合わせされていないケースにおいて実行され、したがって、変調された無線周波数信号ＲＦ＿ｄａｔａは、不必要な高周波高調波成分を生成する場合があり、これは、デジタルベースバンド信号ＢＢから生じる位相ノイズをもたらす。
【発明の概要】
【０００６】
これを考慮して、本発明の実施形態は、デジタル送信機の変調回路、デジタル送信機、及び信号変調方法を提供し、これらは、変調された無線周波数信号が、不必要な高周波高調波成分を生成することを防止することができ、デジタルベースバンド信号から生じる位相ノイズを効果的に抑制することができる。
【０００７】
第１の態様によれば、本発明の一実施形態は、デジタル送信機の変調回路を提供し、変調回路は、第１の同期回路及びデジタル変調器を含み、第１の同期回路は、第１の同期ユニット及び第２の同期ユニットを含み、
第１の同期ユニットは、第１のデジタルベースバンド信号及び第１のローカル周波数信号を別々に受信し、第１のローカル周波数信号に対して位相遅延を実行して第１の遅延信号を取得するとともに、第１の遅延信号を使用することによって第１のデジタルベースバンド信号に対して位相調整を実行して、第１の調整された信号を生成し、それによって、第１の調整された信号の立ち上がりエッジ及び立ち下がりエッジが共に、第１のローカル周波数信号のローレベル範囲内に入るように構成されており、
第２の同期ユニットは、第１のデジタルベースバンド信号及び第２のローカル周波数信号を別々に受信し、第２のローカル周波数信号に対して位相遅延を実行して第２の遅延信号を取得するとともに、第２の遅延信号を使用することによって第１のデジタルベースバンド信号に対して位相調整を実行して、第２の調整された信号を生成し、それによって、第２の調整された信号の立ち上がりエッジ及び立ち下がりエッジが、第２のローカル周波数信号のローレベル範囲内に入り、第１のローカル周波数信号及び第２のローカル周波数信号が差動信号であり、第１の遅延信号及び第２の遅延信号の位相遅延が同じであるように構成されており、
デジタル変調器は、別々に、第１のローカル周波数信号を使用することによって第１の調整された信号を変調して、第１の無線周波数信号を生成するとともに、第２のローカル周波数信号を使用することによって第２の調整された信号を変調して、第２の無線周波数信号を生成するように構成されている。
【０００８】
第１の可能な実施様式においては、第１の同期ユニットは、第１の遅延器及び第１のＤフリップフロップを含み、
第１の遅延器は、第１のローカル周波数信号に対して位相遅延を実行して第１の遅延信号を取得するとともに、第１の遅延信号を第１のクロック信号として第１のＤフリップフロップに入力するように構成されており、
第１のＤフリップフロップは、第１のクロック信号のトリガリングに従って第１のデジタルベースバンド信号に対して位相調整を実行して第１の調整された信号を出力し、
第２の同期ユニットは、第２の遅延器及び第２のＤフリップフロップを含み、
第２の遅延器は、第２のローカル周波数信号に対して位相遅延を実行して第２の遅延信号を取得するとともに、第２の遅延信号を第２のクロック信号として第２のＤフリップフロップに入力するように構成されており、
第２のＤフリップフロップは、第２のクロック信号のトリガリングに従って第１のデジタルベースバンド信号に対して位相調整を実行して第２の調整された信号を出力する。
【０００９】
第１の態様、又は第１の態様の第１の可能な実施様式に関連して、第２の可能な実施様式においては、デジタル変調器は、第１のデジタル変調ユニット及び第２のデジタル変調ユニットを含み、
第１のデジタル変調ユニットは、第１のローカル周波数信号及び第１の調整された信号を受信し、第１のローカル周波数信号及び第１の調整された信号に対して論理ＡＮＤ演算を実行して第１の無線周波数信号を出力するように構成されており、
第２のデジタル変調ユニットは、第２のローカル周波数信号及び第２の調整された信号を受信し、第２のローカル周波数信号及び第２の調整された信号に対して論理ＡＮＤ演算を実行して第２の無線周波数信号を出力するように構成されている。
【００１０】
第３の可能な実施様式においては、変調回路は、第２の同期回路を更に含み、第２の同期回路は、第３の同期ユニット及び第４の同期ユニットを含み、
第３の同期ユニットは、第２のデジタルベースバンド信号及び第１のローカル周波数信号を別々に受信し、第１のローカル周波数信号に対して位相遅延を実行して第３の遅延信号を取得するとともに、第３の遅延信号を使用することによって第２のデジタルベースバンド信号に対して位相調整を実行して、第３の調整された信号を生成し、それによって、第３の調整された信号の立ち上がりエッジ及び立ち下がりエッジが、第１のローカル周波数信号のローレベル範囲内に入るように構成されており、
第４の同期ユニットは、第２のデジタルベースバンド信号及び第２のローカル周波数信号を別々に受信し、第２のローカル周波数信号に対して位相遅延を実行して第４の遅延信号を取得するとともに、第４の遅延信号を使用することによってデジタルベースバンド信号に対して位相調整を実行して、第４の調整された信号を生成し、それによって、第４の調整された信号の立ち上がりエッジ及び立ち下がりエッジが、第２のローカル周波数信号のローレベル範囲内に入り、第１のデジタルベースバンド信号及び第２のデジタルベースバンド信号が差動信号であり、第３の遅延信号及び第４の遅延信号の位相遅延が同じであるように構成されており、
デジタル変調器は、別々に、第１のローカル周波数信号を使用することによって第３の調整された信号を変調して、第３の無線周波数信号を生成するとともに、第２のローカル周波数信号を使用することによって第４の調整された信号を変調して、第４の無線周波数信号を生成し、それから、第１の無線周波数信号及び第４の無線周波数信号を重ねて、第１の無線周波数出力信号を取得するとともに、第２の無線周波数信号及び第３の無線周波数信号を重ねて、第２の無線周波数出力信号を取得するように更に構成されている。
【００１１】
第１の態様の第３の可能な実施様式に関連して、第４の可能な実施様式においては、
第３の同期ユニットは、第３の遅延器及び第３のＤフリップフロップを含み、
第３の遅延器は、第１のローカル周波数信号に対して位相遅延を実行して第３の遅延信号を取得するとともに、第３の遅延信号を第３のクロック信号として第３のＤフリップフロップに入力するように構成されており、
第３のＤフリップフロップは、第３のクロック信号のトリガリングに従って第２のデジタルベースバンド信号に対して位相調整を実行して、第３の調整された信号を出力するように構成されており、
第４の同期ユニットは、第４の遅延器及び第４のＤフリップフロップを含み、
第４の遅延器は、第２のローカル周波数信号に対して位相遅延を実行して第４の遅延信号を取得するとともに、第４の遅延信号を第４のクロック信号として第４のＤフリップフロップに入力するように構成されており、
第４のＤフリップフロップは、第４のクロック信号のトリガリングに従って第２のデジタルベースバンド信号に対して位相調整を実行して、第４の調整された信号を出力するように構成されている。
【００１２】
第１の態様の第３及び第４の可能な実施様式に関連して、第５の可能な実施様式においては、デジタル変調器は、第３のデジタル変調ユニット及び第４のデジタル変調ユニットを含み、
第３のデジタル変調ユニットは、第１のＡＮＤ論理ユニット、第２のＡＮＤ論理ユニット、及び第１のＯＲ論理ユニットを含み、第１のＡＮＤ論理ユニットは、入力される第１のローカル周波数信号及び第１の調整された信号に対して論理ＡＮＤ演算を実行して、第１の無線周波数信号を生成するように構成されており、第２のＡＮＤ論理ユニットは、入力される第２のローカル周波数信号及び第４の調整された信号に対して論理ＡＮＤ演算を実行して、第４の無線周波数信号を生成するように構成されており、第１のＯＲ論理ユニットは、第１の無線周波数信号及び第４の無線周波数信号に対して論理ＯＲ演算を実行して、第１の無線周波数出力信号を出力するように構成されており、
第４のデジタル変調ユニットは、第３のＡＮＤ論理ユニット、第４のＡＮＤ論理ユニット、及び第２のＯＲ論理ユニットを含み、第３のＡＮＤ論理ユニットは、入力される第１のローカル周波数信号及び第３の調整された信号に対して論理ＡＮＤ演算を実行して、第２の無線周波数信号を生成するように構成されており、第４のＡＮＤ論理ユニットは、入力される第２のローカル周波数信号及び第２の調整された信号に対して論理ＡＮＤ演算を実行して、第３の無線周波数信号を生成するように構成されており、第２のＯＲ論理ユニットは、第２の無線周波数信号及び第３の無線周波数信号に対して論理ＯＲ演算を実行して、第２の無線周波数出力信号を出力するように構成されている。
【００１３】
第１の態様の第１又は第４の可能な実施様式に関連して、第６の可能な実施様式においては、Ｄフリップフロップのうちのいずれか１つは、クロック信号立ち上がりエッジによってトリガーされるＤフリップフロップである。
【００１４】
第２の態様によれば、本発明の一実施形態は、
２つの入力直交信号に対して振幅位相分離を実行して、振幅変調ＡＭ信号及び位相変調ＰＭ信号を生成するように構成されている振幅位相分離モジュールと、
ＡＭ信号を処理して、デジタルベースバンド信号を生成するように構成されているＡＭ信号処理モジュールと、
ＰＭ信号を変調して、第１のローカル周波数信号及び第２のローカル周波数信号を生成するように構成されているデジタル位相同期ループであって、第１のローカル周波数信号及び第２のローカル周波数信号が差動信号である、デジタル位相同期ループと、
前述の第１の態様において説明されているデジタル送信機の変調回路であって、第１のデジタルベースバンド信号、第１のローカル周波数信号、及び第２のローカル周波数信号に従って第１の無線周波数信号及び第２の無線周波数信号を生成するように構成されている、変調回路と、
差動的に入力される第１の無線周波数信号及び第２の無線周波数信号を受信して、第１の無線周波数信号及び第２の無線周波数信号を出力用のアナログ信号に変換するように構成されているデジタル／アナログ変換回路とを含む、デジタル送信機を提供する。
【００１５】
第３の態様によれば、本発明の一実施形態は、
差動的に入力される第１の入力信号を受信し、第１のデジタルベースバンド信号及び第２のデジタルベースバンド信号を生成するように構成されている第１のデジタルシグナルプロセッサと、
差動的に入力される第２の入力信号を受信し、第３のデジタルベースバンド信号及び第４のデジタルベースバンド信号を生成するように構成されている第２のデジタルシグナルプロセッサであって、第１の入力信号及び第２の入力信号が同相及び直交信号である、第２のデジタルシグナルプロセッサと、
ローカル周波数信号の第１のグループ及びローカル周波数信号の第２のグループを生成するように構成されているデジタル位相同期ループであって、ローカル周波数信号の第１のグループが、ローカル周波数信号の第２のグループに直交しており、ローカル周波数信号の第１のグループが、互いに差動的である第１のローカル周波数信号及び第２のローカル周波数信号を含み、ローカル周波数信号の第２のグループが、互いに差動的である第３のローカル周波数信号及び第４のローカル周波数信号を含む、デジタル位相同期ループと、
第１のデジタルベースバンド信号、第２のデジタルベースバンド信号、第１のローカル周波数信号、及び第２のローカル周波数信号を受信し、第１のローカル周波数信号に対して位相遅延を実行し、次いで第１のデジタルベースバンド信号に対して位相調整を実行して、第１の調整された信号を生成し、それによって、第１の調整された信号の立ち上がりエッジ及び立ち下がりエッジが、第１のローカル周波数信号のローレベル範囲内に入り、第２のローカル周波数信号に対して位相遅延を実行し、次いで第１のデジタルベースバンド信号に対して位相調整を実行して、第２の調整された信号を生成し、それによって、第２の調整された信号の立ち上がりエッジ及び立ち下がりエッジが、第２のローカル周波数信号のローレベル範囲内に入り、第１のローカル周波数信号に対して位相遅延を実行し、次いで第２のデジタルベースバンド信号に対して位相調整を実行して、第３の調整された信号を生成し、それによって、第３の調整された信号の立ち上がりエッジ及び立ち下がりエッジが、第１のローカル周波数信号のローレベル範囲内に入り、第２のローカル周波数信号に対して位相遅延を実行し、次いで第２のデジタルベースバンド信号に対して位相調整を実行して、第４の調整された信号を生成し、それによって、第４の調整された信号の立ち上がりエッジ及び立ち下がりエッジが、第２のローカル周波数信号のローレベル範囲内に入り、第１のローカル周波数信号を使用することによって第１の調整された信号を変調して、第１の無線周波数信号を生成し、第２のローカル周波数信号を使用することによって第２の調整された信号を変調して、第２の無線周波数信号を生成し、第１のローカル周波数信号を使用することによって第３の調整された信号を変調して、第３の無線周波数信号を生成し、第２のローカル周波数信号を使用することによって第４の調整された信号を変調して、第４の無線周波数信号を生成し、第１の無線周波数信号及び第４の無線周波数信号を重ねて、第１の無線周波数出力信号を取得するとともに、第２の無線周波数信号及び第３の無線周波数信号を重ねて、第２の無線周波数出力信号を取得するように構成されている第１の変調回路と、
第３のデジタルベースバンド信号、第４のデジタルベースバンド信号、第３のローカル周波数信号、及び第４のローカル周波数信号を受信し、第３のローカル周波数信号に対して位相遅延を実行し、次いで第３のデジタルベースバンド信号に対して位相調整を実行して、第５の調整された信号を生成し、それによって、第５の調整された信号の立ち上がりエッジ及び立ち下がりエッジが、第３のローカル周波数信号のローレベル範囲内に入り、第４のローカル周波数信号に対して位相遅延を実行し、次いで第３のデジタルベースバンド信号に対して位相調整を実行して、第６の調整された信号を生成し、それによって、第６の調整された信号の立ち上がりエッジ及び立ち下がりエッジが、第４のローカル周波数信号のローレベル範囲内に入り、第３のローカル周波数信号に対して位相遅延を実行し、次いで第４のデジタルベースバンド信号に対して位相調整を実行して、第７の調整された信号を生成し、それによって、第７の調整された信号の立ち上がりエッジ及び立ち下がりエッジが、第３のローカル周波数信号のローレベル範囲内に入り、第４のローカル周波数信号に対して位相遅延を実行し、次いで第４のデジタルベースバンド信号に対して位相調整を実行して、第８の調整された信号を生成し、それによって、第８の調整された信号の立ち上がりエッジ及び立ち下がりエッジが、第４のローカル周波数信号のローレベル範囲内に入り、第３のローカル周波数信号を使用することによって第５の調整された信号を変調して、第５の無線周波数信号を生成し、第４のローカル周波数信号を使用することによって第６の調整された信号を変調して、第６の無線周波数信号を生成し、第３のローカル周波数信号を使用することによって第７の調整された信号を変調して、第７の無線周波数信号を生成し、第４のローカル周波数信号を使用することによって第８の調整された信号を変調して、第８の無線周波数信号を生成し、第５の無線周波数信号及び第８の無線周波数信号を重ねて、第３の無線周波数出力信号を取得するとともに、第６の無線周波数信号及び第７の無線周波数信号を重ねて、第４の無線周波数出力信号を取得するように構成されている第２の変調回路と、
第１の無線周波数出力信号及び第２の無線周波数出力信号を出力用の第１のアナログ信号に変換するように構成されている第１の無線周波数デジタル／アナログコンバータと、
第３の無線周波数出力信号及び第４の無線周波数出力信号を出力用の第２のアナログ信号に変換するように構成されている第２の無線周波数デジタル／アナログコンバータとを含む、デジタル送信機を提供する。
【００１６】
第４の態様によれば、本発明の一実施形態は、
第１のデジタルベースバンド信号及び第１のローカル周波数信号を受信し、第１のローカル周波数信号に対して位相遅延を実行して第１の遅延信号を取得するとともに、第１の遅延信号を使用することによってデジタルベースバンド信号に対して位相調整を実行して、第１の調整された信号を生成し、それによって、第１の調整された信号の立ち上がりエッジ及び立ち下がりエッジが、第１のローカル周波数信号のローレベル範囲内に入るステップと、
第１のデジタルベースバンド信号及び第２のローカル周波数信号を受信し、第２のローカル周波数信号に対して位相遅延を実行して第２の遅延信号を取得するとともに、第２の遅延信号を使用することによってデジタルベースバンド信号に対して位相調整を実行して、第２の調整された信号を生成し、それによって、第２の調整された信号の立ち上がりエッジ及び立ち下がりエッジが、第２のローカル周波数信号のローレベル範囲内に入るステップであって、第１のローカル周波数信号及び第２のローカル周波数信号が差動信号であり、第１の遅延信号及び第２の遅延信号の位相遅延が同じである、ステップと、
第１のローカル周波数信号を使用することによって第１の調整された信号を変調して、第１の無線周波数信号を生成し、第２のローカル周波数信号を使用することによって第２の調整された信号を変調して、第２の無線周波数信号を生成するステップとを含む、信号変調方法を提供する。
【００１７】
第１の可能な実施様式においては、方法は、
第２のデジタルベースバンド信号及び第１のローカル周波数信号を受信し、第１のローカル周波数信号に対して位相遅延を実行して第３の遅延信号を取得するとともに、第３の遅延信号を使用することによって第２のデジタルベースバンド信号に対して位相調整を実行して、第３の調整された信号を生成し、それによって、第３の調整された信号の立ち上がりエッジ及び立ち下がりエッジが、第１のローカル周波数信号のローレベル範囲内に入るステップと、
第２のデジタルベースバンド信号及び第２のローカル周波数信号を受信し、第２のローカル周波数信号に対して位相遅延を実行して第４の遅延信号を取得するとともに、第４の遅延信号を使用することによって第２のデジタルベースバンド信号に対して位相調整を実行して、第４の調整された信号を生成し、それによって、第４の調整された信号の立ち上がりエッジ及び立ち下がりエッジが、第２のローカル周波数信号のローレベル範囲内に入るステップであって、第１のデジタルベースバンド信号及び第２のデジタルベースバンド信号が差動信号であり、第３の遅延信号及び第４の遅延信号の位相遅延が同じである、ステップと、
第１のローカル周波数信号を使用することによって第３の調整された信号を変調して、第３の無線周波数信号を生成し、第２のローカル周波数信号を使用することによって第４の調整された信号を変調して、第４の無線周波数信号を生成し、第１の無線周波数信号及び第４の無線周波数信号を重ねて、第１の無線周波数出力信号を取得するとともに、第２の無線周波数信号及び第３の無線周波数信号を重ねて、第２の無線周波数出力信号を取得するステップとを更に含む。
【００１８】
本発明の実施形態によって提供されるデジタル送信機の変調回路においては、第１の同期ユニットが、第１のローカル周波数信号に対して位相遅延を実行し、第１のデジタルベースバンド信号の位相を調整し、それによって、生成された第１の調整された信号の立ち上がりエッジ及び立ち下がりエッジが、第１のローカル周波数信号のローレベル範囲内に入り、第２の同期ユニットが、第２のローカル周波数信号に対して位相遅延を実行し、第１のデジタルベースバンド信号の位相を調整し、それによって、生成された第２の調整された信号の立ち上がりエッジ及び立ち下がりエッジが、第２のローカル周波数信号のローレベル範囲内に入り、次いでデジタル変調器が、第１のローカル周波数信号を使用することによって第１の調整された信号を変調して、第１の無線周波数信号を生成し、第２のローカル周波数信号を使用することによって第２の調整された信号を変調して、第２の無線周波数信号を生成する。本発明によって提供されるデジタル送信機の変調回路は、変調された無線周波数信号が、不必要な高周波高調波成分を生成することを防止することができ、デジタルベースバンド信号から生じる位相ノイズを効果的に抑制することができる。
【図面の簡単な説明】
【００１９】
【図１】既存のデジタル変調器の入力信号及び出力信号の理想の波形の概略図である。
【図２】既存のデジタル変調器の入力信号及び出力信号の実際の波形の概略図である。
【図３】本発明の実施形態１による送信機の構造の概略ブロック図である。
【図４】本発明の実施形態１による送信機のゲートレベル構造の概略図である。
【図５】本発明の実施形態１による送信機の入力信号及び出力信号の波形概略図である。
【図６】本発明の実施形態２による別の送信機の構造の概略ブロック図である。
【図７】本発明の実施形態２による別の送信機のゲートレベル構造の概略図である。
【図８】本発明の実施形態２による送信機の入力信号及び出力信号の波形概略図である。
【図９】本発明の実施形態３によるデジタル送信機システムの概略構造図である。
【図１０】本発明の実施形態４による別のデジタル送信機システムの概略構造図である。
【図１１】本発明の実施形態５による更に別のデジタル送信機システムの概略構造図である。
【図１２】本発明の一実施形態による信号変調方法のフローチャートである。
【発明を実施するための形態】
【００２０】
本発明の目的、技術的解決策、及び利点をより明確にするために、以降ではさらに、添付の図面を参照しながら本発明を詳細に説明する。明らかに、説明されている実施形態は、本発明の実施形態のうちの一部にすぎず、すべてではない。当技術分野における標準的な技術者によって本発明の実施形態に基づいて創造的な取り組みを伴わずに取得されるその他のすべての実施形態は、本発明の保護範囲内に収まるものとする。
【００２１】
以降では、本発明の実施形態１によって提供されるデジタル送信機の変調回路を詳細に説明するために一例として図３を使用する。図３は、本発明の実施形態１によるデジタル送信機の変調回路の概略構造図である。図３において示されているように、この実施形態によって提供されるデジタル送信機の変調回路は、第１の同期回路１１０及びデジタル変調器１２０を含む。
【００２２】
第１の同期回路１１０は、第１の同期ユニット１１１及び第２の同期ユニット１１２を含む。第１の同期ユニット１１１の第１の入力端が、デジタルベースバンド信号ＢＢを受信するように構成されており、第１の同期ユニット１１１の第２の入力端が、第１のローカル周波数信号ＬＯ＋を受信するように構成されており、第１の同期ユニット１１１の出力端が、デジタル変調器１２０の第１の入力端に接続されている。第２の同期ユニット１１２の第１の入力端が、デジタルベースバンド信号ＢＢを受信するように構成されており、第２の同期ユニット１１２の第２の入力端が、第２のローカル周波数信号ＬＯ−を受信するように構成されており、第２の同期ユニット１１２の出力端が、デジタル変調器１２０の第２の入力端に接続されている。
【００２３】
デジタル変調器１２０の第３の入力端が、第１のローカル周波数信号ＬＯ＋を受信するように構成されており、デジタル変調器１２０の第４の入力端が、第２のローカル周波数信号ＬＯ−を受信するように構成されている。
【００２４】
第１のローカル周波数信号ＬＯ＋及び第２のローカル周波数信号ＬＯ−は、差動信号である。
【００２５】
特に、第１の同期ユニット１１１は、デジタルベースバンド信号ＢＢ及び第１のローカル周波数信号ＬＯ＋を別々に受信し、第１のローカル周波数信号ＬＯ＋に対して位相遅延を実行し、次いでデジタルベースバンド信号ＢＢの位相を調整し、それによって、第１の同期ユニット１１１によって生成された第１の調整された信号ＢＢ１の立ち上がりエッジ及び立ち下がりエッジが、第１のローカル周波数信号ＬＯ＋のローレベル範囲内に入るように構成されており、
第２の同期ユニット１１２は、デジタルベースバンド信号ＢＢ及び第２のローカル周波数信号ＬＯ−を別々に受信し、第２のローカル周波数信号ＬＯ−に対して位相遅延を実行し、次いでデジタルベースバンド信号ＢＢの位相を調整し、それによって、第２の同期ユニット１１２によって生成された第２の調整された信号ＢＢ２の立ち上がりエッジ及び立ち下がりエッジが、第２のローカル周波数信号ＬＯ−のローレベル範囲内に入るように構成されている。
【００２６】
デジタル変調器１２０は、第１の調整された信号ＢＢ１及び第２の調整された信号ＢＢ２を受信し、第１のローカル周波数信号ＬＯ＋を使用することによって第１の調整された信号ＢＢ１を変調して、第１の無線周波数信号ＬＯ＋＊ＢＢ１を出力し、第２のローカル周波数信号ＬＯ−を使用することによって第２の調整された信号ＢＢ２を変調して、第２の無線周波数信号ＬＯ−＊ＢＢ２を出力するように構成されている。
【００２７】
さらに、図４において示されているように、第１の同期ユニット１１１は、第１のＤフリップフロップＤＦＦ１及び第１の遅延回路１１１１を含む。第１の遅延回路１１１１は、第１のローカル周波数信号ＬＯ＋を受信し、第１のローカル周波数信号ＬＯ＋に対して位相遅延調整を実行する。第１のＤフリップフロップＤＦＦ１のｄ入力端が、デジタルベースバンド信号ＢＢを受信し、第１のＤフリップフロップＤＦＦ１のクロック入力端が、第１の遅延回路１１１１によって出力されるとともに、第１のローカル周波数信号ＬＯ＋に対して遅延調整が実行された後に取得される信号Ｄ＿ＬＯ＋を受信し、信号Ｄ＿ＬＯ＋のハイレベルに従って、第１のＤフリップフロップＤＦＦ１の出力端が第１の調整された信号ＢＢ１を出力するようにトリガーする。
【００２８】
第２の同期ユニット１１２は、第２のＤフリップフロップＤＦＦ２及び第２の遅延回路１１２１を含む。第２の遅延回路１１２１は、第２のローカル周波数信号ＬＯ−を受信し、第２のローカル周波数信号ＬＯ−に対して遅延調整を実行するように構成されている。第２のＤフリップフロップＤＦＦ２のｄ入力端が、デジタルベースバンド信号ＢＢを受信するように構成されており、第２のＤフリップフロップＤＦＦ２のクロック入力端が、第２の遅延回路１１２１によって出力されるとともに、第２のローカル周波数信号ＬＯ−に対して遅延調整が実行された後に取得される信号Ｄ＿ＬＯ−を受信し、信号Ｄ＿ＬＯ−のハイレベルに従って、第２のＤフリップフロップＤＦＦ２の出力端が第２の調整された信号ＢＢ２を出力するようにトリガーするように構成されている。
【００２９】
前述の第１の遅延回路１１１１及び第２の遅延回路１１２１は、特に遅延器であることが可能である。
【００３０】
デジタル変調器１２０は、第１のデジタル変調ユニット１２１及び第２のデジタル変調ユニット１２２を含み、第１のデジタル変調ユニット１２１は、第１のローカル周波数信号ＬＯ＋及び第１の調整された信号ＢＢ１を受信し、第１のローカル周波数信号ＬＯ＋及び第１の調整された信号ＢＢ１に対して論理ＡＮＤ演算を実行し、次いで第１の無線周波数信号ＬＯ＋＊ＢＢ１を出力するように構成されており、第２のデジタル変調ユニット１２２は、第２のローカル周波数信号ＬＯ−及び第２の調整された信号ＢＢ２を受信し、第２のローカル周波数信号ＬＯ−及び第２の調整された信号ＢＢ２に対して論理ＡＮＤ演算を実行し、次いで第２の無線周波数信号ＬＯ−＊ＢＢ２を出力するように構成されている。
【００３１】
第１のデジタル変調ユニット１２１及び第２のデジタル変調ユニット１２２は、さまざまな特定の様式で論理ＡＮＤ演算を実施することができる。たとえば、論理ＡＮＤ演算は、ＡＮＤゲートを使用することによって別々に実施されることが可能であるか、又はＮＡＮＤゲート及び位相インバータユニットを使用することによって実施されることが可能であって、位相インバータユニットがデジタル回路におけるＮＯＴゲートに相当するとともに、１つの位相インバータ、若しくは複数の位相インバータを含む位相インバータチェーンであることが可能であるか、又はＮＯＲゲート及び排他的ＯＲゲートなどの基本的な論理ゲートどうしを組み合わせることによって実施されることが可能である。この実施形態においては、第１のデジタル変調ユニット１２１及び第２のデジタル変調ユニット１２２は別々に、一例としてＮＡＮＤゲート及び１つの位相インバータの実施様式を使用することによって詳細に説明されている。
【００３２】
第１のデジタル変調ユニット１２１は、第１のＮＡＮＤゲートＮＡＮＤ１及び第１の位相インバータＮＯＴ１を特に含み、第２のデジタル変調ユニット１２２は、第２のＮＡＮＤゲートＮＡＮＤ２及び第２の位相インバータＮＯＴ２を特に含む。
【００３３】
第１のＮＡＮＤゲートＮＡＮＤ１の第１の受信端が、第１の調整された信号ＢＢ１を受信し、第１のＮＡＮＤゲートＮＡＮＤ１の第２の受信端が、第１のローカル周波数信号ＬＯ＋を受信するように構成されており、第１のＮＡＮＤゲートＮＡＮＤ１の出力端が、第１の位相インバータＮＯＴ１の入力端に接続されている。第１のＮＡＮＤゲートＮＡＮＤ１は、入力される第１のローカル周波数信号ＬＯ＋及び第１の調整された信号ＢＢ１に対してＮＡＮＤ演算を実行する。第１の位相インバータＮＯＴ１は、第１のローカル周波数信号ＬＯ＋及び第１の調整された信号ＢＢ１のＮＡＮＤ演算結果に対して反転演算を実行し、第１の無線周波数信号ＬＯ＋＊ＢＢ１を出力して、第１のローカル周波数信号ＬＯ＋のローレベルを使用することによって第１の調整された信号ＢＢ１の位相ノイズを抑制するように構成されている。
【００３４】
第２のＮＡＮＤゲートＮＡＮＤ２の第１の受信端が、第２の調整された信号ＢＢ２を受信し、第２のＮＡＮＤゲートＮＡＮＤ２の第２の受信端が、第２のローカル周波数信号ＬＯ−を受信するように構成されており、第２のＮＡＮＤゲートＮＡＮＤ２の出力端が、第２の位相インバータＮＯＴ２の入力端に接続されている。第２のＮＡＮＤゲートＮＡＮＤ２は、入力される第２のローカル周波数信号ＬＯ−及び第２の調整された信号ＢＢ２に対してＮＡＮＤ演算を実行する。第２の位相インバータＮＯＴ２は、第２のローカル周波数信号ＬＯ−及び第２の調整された信号ＢＢ２のＮＡＮＤ演算結果に対して反転演算を実行し、次いで第２の無線周波数信号ＬＯ−＊ＢＢ２を出力して、第２のローカル周波数信号ＬＯ−のローレベルを使用することによって第２の調整された信号ＢＢ２の位相ノイズを抑制するように構成されている。
【００３５】
第１の同期ユニット１１１の第１のＤフリップフロップＤＦＦ１の制御クロック信号は、遅延回路１１１１が第１のローカル周波数信号ＬＯ＋を遅延させた後に取得されるＤ＿ＬＯ＋である。したがって、第１の調整された信号ＢＢ１の位相がフレキシブルに制御されることが可能である。第２の同期ユニット１１２の機能原理は、第１の同期ユニット１１１の機能原理と同じである。したがって、第２の調整された信号ＢＢ２の位相がフレキシブルに制御されることも可能である。デジタル変調器１２０は、ＮＡＮＤ論理ゲート及び位相インバータを接続することによって実装され、位相インバータの数は、後段駆動能力に従って特定される。この方法においては、第１の無線周波数信号ＬＯ＋＊ＢＢ１及び第２の無線周波数信号ＬＯ−＊ＢＢ２の論理式は、下記のように表現されることが可能である。
ＬＯ＋＊ＢＢ１＝（ＬＯ＋）∩ＢＢ１  （式１）
ＬＯ−＊ＢＢ２＝（ＬＯ−）∩ＢＢ２  （式２）
【００３６】
図５は、さまざまな時点に対応する図４における信号の波形図を示している。デジタルベースバンド信号ＢＢが同期回路１１０によって調整された後に、第１の調整された信号ＢＢ１及び第２の調整された信号ＢＢ２が出力され、第１の調整された信号ＢＢ１及び第２の調整された信号ＢＢ２は、最初のデジタルベースバンド信号ＢＢとは位相遅延において異なるだけであり、第１の調整された信号ＢＢ１の立ち上がりエッジ及び立ち下がりエッジは両方とも、第１のローカル周波数信号ＬＯ＋のローレベル範囲内に入り、第２の調整された信号ＢＢ２の立ち上がりエッジ及び立ち下がりエッジは両方とも、第２のローカル周波数信号ＬＯ−のローレベル範囲内に入るということが図５から見て取られることが可能である。次いで、第１の調整された信号ＢＢ１及び第２の調整された信号ＢＢ２は、第１のローカル周波数信号ＬＯ＋及び第２のローカル周波数信号ＬＯ−という差動信号を使用することによってデジタル変調器１２０において別々に変調されて、高周波高調波成分を生成しない、第１の無線周波数信号ＬＯ＋＊ＢＢ１及び第２の無線周波数信号ＬＯ−＊ＢＢ２を取得する。
【００３７】
５０％のデューティーサイクルを伴うローカル周波数信号に関しては、第１のローカル周波数信号ＬＯ＋及び第２のローカル周波数信号ＬＯ−がローレベル範囲にある期間は、信号周期の半分である。エッジとエッジの位置合わせの従来の同期化処理様式と比較すると、この実施形態において提供されるエッジレベルの位置合わせ様式のデジタル同期回路は、入力信号に関する時間シーケンス要件を大幅に低減する。たとえば、２ＧＨｚのローカル周波数信号に関しては、周期の半分の期間は２５０ｐｓであり、同期回路によって出力される第１の調整された信号ＢＢ１及び第２の調整された信号ＢＢ２のエッジは、最終的に出力波形に影響を与えることなく、２５０ｐｓの範囲内でジッタすることが可能である。したがって、第１の調整された信号ＢＢ１のエッジが第１のローカル周波数信号ＬＯ＋のローレベル範囲内に入るということ、及び第２の調整された信号ＢＢ２のエッジが第２のローカル周波数信号ＬＯ−のローレベル範囲内に入るということが保証される限り、デジタルベースバンド信号から生じる位相ノイズが抑制されることが可能である。既存のサブマイクロＣＭＯＳ（Complementary  Metal-Oxide-Semiconductor、相補型金属酸化膜半導体）技術においては、Ｄフリップフロップの遅延、技術の不確実性、温度の影響などが考えられる場合でさえ、前述の時間シーケンス要件は、依然として容易に達成されることが可能であり、遅延回路は、デジタルベースバンド信号ＢＢに対する位相遅延をフレキシブルに制御するために使用されることが可能である。
【００３８】
本発明の実施形態１によって提供されるデジタル送信機の変調回路においては、第１のローカル周波数信号ＬＯ＋及び第２のローカル周波数信号ＬＯ−を使用することによってデジタルベースバンド信号ＢＢの位相が調整されて、第１のローカル周波数信号ＬＯ＋のローレベル範囲内に入る信号エッジを伴う第１の調整された信号ＢＢ＋、及び第２のローカル周波数信号ＬＯ−のローレベル範囲内に入る信号エッジを伴う第２の調整された信号ＢＢ−を別々に取得する。次いで、第１の調整された信号ＢＢ＋が、第１のローカル周波数信号ＬＯ＋を使用することによって変調され、そして第２の調整された信号ＢＢ−が、第２のローカル周波数信号ＬＯ−を使用することによって変調され、第１の無線周波数信号ＬＯ＋＊ＢＢ１及び第２の無線周波数信号ＬＯ−＊ＢＢ２を取得する。本発明によって提供されるデジタル送信機の変調回路は、変調された無線周波数信号が、不必要な高周波高調波成分を生成することを防止することができ、デジタルベースバンド信号から生じる位相ノイズを効果的に抑制することができる。
【００３９】
以降では、本発明の実施形態２によって提供されるデジタル送信機の別の変調回路を詳細に説明するために一例として図６を使用する。図６は、本発明の実施形態２による、差動入力をサポートするデジタル送信機の変調回路の概略構造図である。図６において示されているように、差動入力をサポートするデジタル送信機の変調回路は、第１の同期回路２１０、第２の同期回路２２０、及びデジタル変調器２３０を含む。
【００４０】
第１の同期回路２１０は、第１の同期ユニット２１１及び第２の同期ユニット２１２を含む。第１の同期ユニット２１１の第１の入力端が、第１のデジタルベースバンド信号ＢＢ＋を受信し、第１の同期ユニット２１１の第２の入力端が、第１のローカル周波数信号ＬＯ＋を受信し、第１の同期ユニット２１１の出力端が、デジタル変調器２３０の第１の入力端に接続されている。第２の同期ユニット２１２の第１の入力端が、第１のデジタルベースバンド信号ＢＢ＋を受信し、第２の同期ユニット２１２の第２の入力端が、第２のローカル周波数信号ＬＯ−を受信し、第２の同期ユニット２１２の出力端が、デジタル変調器２３０の第２の入力端に接続されている。
【００４１】
第２の同期回路２２０は、第３の同期ユニット２２１及び第４の同期ユニット２２２を含む。第３の同期ユニット２２１の第１の入力端が、第２のデジタルベースバンド信号ＢＢ−を受信し、第３の同期ユニット２２１の第２の入力端が、第１のローカル周波数信号ＬＯ＋を受信し、第３の同期ユニット２２１の出力端が、デジタル変調器２３０の第３の入力端に接続されている。第４の同期ユニット２２２の第１の入力端が、第２のデジタルベースバンド信号ＢＢ−を受信し、第４の同期ユニット２２２の第２の入力端が、第２のローカル周波数信号ＬＯ−を受信し、第４の同期ユニット２２２の出力端が、デジタル変調器２３０の第４の入力端に接続されている。
【００４２】
第１のデジタルベースバンド信号ＢＢ＋及び第２のデジタルベースバンド信号ＢＢ−は、差動信号であり、第１のローカル周波数信号ＬＯ＋及び第２のローカル周波数信号ＬＯ−は、差動信号である。
【００４３】
特に、第１の同期ユニット２１１は、第１のデジタルベースバンド信号ＢＢ＋及び第１のローカル周波数信号ＬＯ＋を受信し、第１のローカル周波数信号ＬＯ＋に対して位相遅延調整を実行し、次いで第１のデジタルベースバンド信号ＢＢ＋の位相を調整し、それによって、第１の同期ユニット２１１によって出力される第１の調整された信号ＢＢ１＋の両方のエッジ（立ち上がりエッジ及び立ち下がりエッジ）が、第１のローカル周波数信号ＬＯ＋のローレベル範囲内に入る。
【００４４】
第２の同期ユニット２１２は、第１のデジタルベースバンド信号ＢＢ＋及び第２のローカル周波数信号ＬＯ−を受信し、第２のローカル周波数信号ＬＯ−に対して位相遅延調整を実行し、次いで第１のデジタルベースバンド信号ＢＢ＋の位相を調整し、それによって、第２の同期ユニット２１２によって出力される第２の調整された信号ＢＢ２＋の両方のエッジ（立ち上がりエッジ及び立ち下がりエッジ）が、第２のローカル周波数信号ＬＯ−のローレベル範囲内に入る。
【００４５】
第３の同期ユニット２２１は、第２のデジタルベースバンド信号ＢＢ−及び第１のローカル周波数信号ＬＯ＋を受信し、第１のローカル周波数信号ＬＯ＋に対して位相遅延調整を実行し、次いで第２のデジタルベースバンド信号ＢＢ−の位相を調整し、それによって、第３の同期ユニット２２１によって出力される第３の調整された信号ＢＢ１−の両方のエッジが、第１のローカル周波数信号ＬＯ＋のローレベル範囲内に入る。
【００４６】
第４の同期ユニット２２２は、第２のデジタルベースバンド信号ＢＢ−及び第２のローカル周波数信号ＬＯ−を受信し、第２のローカル周波数信号ＬＯ−に対して位相遅延調整を実行し、次いで第２のデジタルベースバンド信号ＢＢ−の位相を調整し、それによって、第４の同期ユニット２２２によって出力される第４の調整された信号ＢＢ２−の両方のエッジが、第２のローカル周波数信号ＬＯ−のローレベル範囲内に入る。
【００４７】
デジタル変調器２３０は、第３のデジタル変調ユニット２３１及び第４のデジタル変調ユニット２３２を含む。第３のデジタル変調ユニット２３１は、入力される第１の調整された信号ＢＢ１＋、第１のローカル周波数信号ＬＯ＋、第４の調整された信号ＢＢ２−、及び第２のローカル周波数信号ＬＯ−を処理して、第１の無線周波数出力信号ＲＦ＿ｄａｔａ＋を生成し、第４のデジタル変調ユニット２３２は、入力される第２の調整された信号ＢＢ２＋、第２のローカル周波数信号ＬＯ−、第３の調整された信号ＢＢ１−、及び第１のローカル周波数信号ＬＯ＋を処理して、第２の無線周波数出力信号ＲＦ＿ｄａｔａ−を生成する。具体的な処理プロセスが、以降で詳細に説明される。
【００４８】
さらに、図７において示されているように、第１の同期ユニット２１１は、第１のＤフリップフロップＤＦＦ１及び第１の遅延回路２１１１を含む。第１の遅延回路２１１１は、第１のローカル周波数信号ＬＯ＋を受信し、第１のローカル周波数信号ＬＯ＋に対して位相遅延調整を実行する。第１のＤフリップフロップＤＦＦ１のｄ入力端が、第１のデジタルベースバンド信号ＢＢ＋を受信し、第１のＤフリップフロップＤＦＦ１のクロック入力端が、第１の遅延回路２１１１によって出力されるとともに、第１のローカル周波数信号ＬＯ＋に対して遅延調整が実行された後に取得される信号Ｄ＿ＬＯ＋を受信し、第１のＤフリップフロップＤＦＦ１の出力端が、第１の調整された信号ＢＢ１＋を出力する。
【００４９】
第２の同期ユニット２１２は、第２のＤフリップフロップＤＦＦ２及び第２の遅延回路２１２１を含む。第２の遅延回路２１２１は、第２のローカル周波数信号ＬＯ−を受信し、第２のローカル周波数信号ＬＯ−に対して位相遅延調整を実行する。第２のＤフリップフロップＤＦＦ２のｄ入力端が、第１のデジタルベースバンド信号ＢＢ＋を受信し、第２のＤフリップフロップＤＦＦ２のクロック入力端が、第２の遅延回路２１２１によって出力されるとともに、第２のローカル周波数信号ＬＯ−に対して遅延調整が実行された後に取得される信号Ｄ＿ＬＯ−を受信し、第２のＤフリップフロップＤＦＦ２の出力端が、第２の調整された信号ＢＢ２＋を出力する。
【００５０】
第３の同期ユニット２２１は、第３のＤフリップフロップＤＦＦ３及び第３の遅延回路２２１１を含む。第３の遅延回路２２１１は、第１のローカル周波数信号ＬＯ＋を受信し、第１のローカル周波数信号ＬＯ＋に対して位相遅延調整を実行する。第３のＤフリップフロップＤＦＦ３のｄ入力端が、第２のデジタルベースバンド信号ＢＢ−を受信し、第３のＤフリップフロップＤＦＦ３のクロック入力端が、第３の遅延回路２２１１によって出力されるとともに、第１のローカル周波数信号ＬＯ＋に対して遅延調整が実行された後に取得される信号Ｄ＿ＬＯ＋を受信し、第３のＤフリップフロップＤＦＦ３の出力端が、第３の調整された信号ＢＢ１−を出力する。
【００５１】
第４の同期ユニット２２２は、第４のＤフリップフロップＤＦＦ４及び第４の遅延回路２２２１を含む。第４の遅延回路２２２１は、第２のローカル周波数信号ＬＯ−を受信し、第２のローカル周波数信号ＬＯ−に対して位相遅延調整を実行する。第４のＤフリップフロップＤＦＦ４のｄ入力端が、第２のデジタルベースバンド信号ＢＢ−を受信し、第４のＤフリップフロップＤＦＦ４のクロック入力端が、第４の遅延回路２２２１によって出力されるとともに、第２のローカル周波数信号ＬＯ−に対して遅延調整が実行された後に取得される信号Ｄ＿ＬＯ−を受信するように構成されており、第４のＤフリップフロップＤＦＦ４の出力端が、第４の調整された信号ＢＢ２−を出力する。
【００５２】
この実施形態においては、第３のデジタル変調ユニットは、第１のＡＮＤ論理ユニット２３１１、第２のＡＮＤ論理ユニット２３１２、及び第１のＯＲ論理ユニット２３１３を含む。第１のＡＮＤ論理ユニット２３１１は、入力される第１のローカル周波数信号ＬＯ＋及び第１の調整された信号ＢＢ１＋に対して論理ＡＮＤ演算を実行して、第１の無線周波数信号ＬＯ＋＊ＢＢ１＋を生成するように構成されており、第２のＡＮＤ論理ユニット２３１２は、入力される第２のローカル周波数信号ＬＯ−及び第４の調整された信号ＢＢ２−に対して論理ＡＮＤ演算を実行して、第４の無線周波数信号ＬＯ−＊ＢＢ２−を生成するように構成されており、第１のＯＲ論理ユニット２３１３は、第１の無線周波数信号ＬＯ＋＊ＢＢ１＋及び第４の無線周波数信号ＬＯ−＊ＢＢ２−に対して論理ＯＲ演算を実行して、第１の無線周波数出力信号ＲＦ＿ｄａｔａ＋を出力するように構成されている。第４のデジタル変調ユニットは、第３のＡＮＤ論理ユニット２３２１、第４のＡＮＤ論理ユニット２３２２、及び第２のＯＲ論理ユニット２３２３を含む。第３のＡＮＤ論理ユニット２３２１は、入力される第１のローカル周波数信号ＬＯ＋及び第３の調整された信号ＢＢ１−に対して論理ＡＮＤ演算を実行して、第２の無線周波数信号ＬＯ＋＊ＢＢ１−を生成するように構成されており、第４のＡＮＤ論理ユニット２３２２は、入力される第２のローカル周波数信号ＬＯ−及び第２の調整された信号ＢＢ２＋に対して論理ＡＮＤ演算を実行して、第３の無線周波数信号ＬＯ−＊ＢＢ２＋を生成するように構成されており、第２のＯＲ論理ユニット２３２３は、第２の無線周波数信号ＬＯ＋＊ＢＢ１−及び第３の無線周波数信号ＬＯ−＊ＢＢ２＋に対して論理ＯＲ演算を実行して、第２の無線周波数出力信号ＲＦ＿ｄａｔａ−を出力するように構成されている。
【００５３】
前述のＡＮＤ論理ユニット２３１１、２３１２、２３２１、及び２３２２は、さまざまな特定の様式で実装されることが可能であり、ＡＮＤゲートを使用することによって別々に実装されることが可能であるか、又はＮＡＮＤゲート及び位相インバータユニットを使用することによって実装されることが可能であって、位相インバータユニットがデジタル回路におけるＮＯＴゲートに相当するとともに、１つの位相インバータ、若しくは複数の位相インバータを含む位相インバータチェーンであることが可能であるか、又はＮＯＲゲート及び排他的ＯＲゲートなどの基本的な論理ゲートどうしを組み合わせることによって実装されることが可能である。この実施形態においては、前述のＡＮＤ論理ユニット２３１１、２３１２、２３２１、及び２３２２は別々に、一例としてＮＡＮＤゲート及び１つの位相インバータの実施様式を使用することによって詳細に説明されている。
【００５４】
前述の第１のＯＲ論理ユニット２３１３又は第２のＯＲ論理ユニット２３２３は、ＯＲゲートを使用することによって実装されることも可能であるか、又はＮＯＲゲート及び位相インバータユニットなどを使用することによって実装されることが可能であって、位相インバータユニットがデジタル回路におけるＮＯＴゲートに相当するとともに、１つの位相インバータ、若しくは複数の位相インバータを含む位相インバータチェーンであることが可能であるか、又はＮＯＲゲート及び排他的ＯＲゲートなどの基本的な論理ゲートどうしを組み合わせることによって実装されることが可能である。この実施形態においては、第１のＯＲ論理ユニット２３１３及び第２のＯＲ論理ユニット２３２３は別々に、一例としてＮＯＲゲート及び１つの位相インバータの実施様式を使用することによって詳細に説明されている。
【００５５】
第１のＡＮＤ論理ユニット２３１１は、第１のＮＡＮＤゲートＮＡＮＤ１及び第１の位相インバータＮＯＴ１を含み、第２のＡＮＤ論理ユニット２３１２は、第２のＮＡＮＤゲートＮＡＮＤ２及び第２の位相インバータＮＯＴ２を含み、第３のＡＮＤ論理ユニット２３２１は、第３のＮＡＮＤゲートＮＡＮＤ３及び第３の位相インバータＮＯＴ３を含み、第４のＡＮＤ論理ユニット２３２２は、第４のＮＡＮＤゲートＮＡＮＤ４及び第４の位相インバータＮＯＴ４を含み、第１のＯＲ論理ユニット２３１３は、第１のＮＯＲゲートＮＯＲ１及び第５の位相インバータＮＯＴ５を含み、第２のＯＲ論理ユニット２３２３は、第２のＮＯＲゲートＮＯＲ２及び第６の位相インバータＮＯＴ６を含む。第１のＮＡＮＤゲートＮＡＮＤ１の第１の受信端が、第１の調整された信号ＢＢ１＋を受信し、第１のＮＡＮＤゲートＮＡＮＤ１の第２の受信端が、第１のローカル周波数信号ＬＯ＋を受信し、第１のＮＡＮＤゲートＮＡＮＤ１の出力端が、第１の位相インバータＮＯＴ１の入力端に接続されており、第１の位相インバータＮＯＴ１の出力端が、第１の無線周波数信号ＬＯ＋＊ＢＢ１＋を出力し、第１のＮＯＲゲートＮＯＲ１の第１の入力端に接続されている。第２のＮＡＮＤゲートＮＡＮＤ２の第１の受信端が、第２の調整された信号ＢＢ２＋を受信し、第２のＮＡＮＤゲートＮＡＮＤ２の第２の受信端が、第２のローカル周波数信号ＬＯ−を受信し、第２のＮＡＮＤゲートＮＡＮＤ２の出力端が、第２の位相インバータＮＯＴ２の入力端に接続されており、第２の位相インバータＮＯＴ２の出力端が、第２の無線周波数信号ＬＯ−＊ＢＢ２＋を出力し、第２のＮＯＲゲートＮＯＲ２の第１の入力端に接続されている。第３のＮＡＮＤゲートＮＡＮＤ３の第１の受信端が、第３の調整された信号ＢＢ１−を受信し、第３のＮＡＮＤゲートＮＡＮＤ３の第２の受信端が、第１のローカル周波数信号ＬＯ＋を受信し、第３のＮＡＮＤゲートＮＡＮＤ３の出力端が、第３の位相インバータＮＯＴ３の入力端に接続されており、第３の位相インバータＮＯＴ３の出力端が、第３の無線周波数信号ＬＯ＋＊ＢＢ１−を出力し、第２のＮＯＲゲートＮＯＲ２の第２の入力端に接続されている。第４のＮＡＮＤゲートＮＡＮＤ４の第１の受信端が、第４の調整された信号ＢＢ２−を受信し、第４のＮＡＮＤゲートＮＡＮＤ４の第２の受信端が、第２のローカル周波数信号ＬＯ−を受信し、第４のＮＡＮＤゲートＮＡＮＤ４の出力端が、第４の位相インバータＮＯＴ４の入力端に接続されており、第４の位相インバータＮＯＴ４の出力端が、第４の無線周波数信号ＬＯ−＊ＢＢ２−を出力し、第１のＮＯＲゲートＮＯＲ１の第２の入力端に接続されている。第１のＮＯＲゲートＮＯＲ１の出力端が、第５の位相インバータＮＯＴ５の入力端に接続されており、第５の位相インバータＮＯＴ５の出力端が、第１の無線周波数出力信号ＲＦ＿ｄａｔａ＋を出力する。第２のＮＯＲゲートＮＯＲ２の出力端が、第６の位相インバータＮＯＴ６の入力端に接続されており、第６の位相インバータＮＯＴ６の出力端が、第２の無線周波数出力信号ＲＦ＿ｄａｔａ−を出力する。
【００５６】
差動的なデジタルベースバンド信号（すなわち、第１のデジタルベースバンド信号ＢＢ＋及び第２のデジタルベースバンド信号ＢＢ−）に対して２つの同期回路２１０及び２２０を使用することによって別々に位相調整が実行された後に、それぞれの信号は、別々の位相遅延を伴う２つのデジタルベースバンド信号、すなわち、第１の調整された信号ＢＢ１＋及び第２の調整された信号ＢＢ２＋、並びに第３の調整された信号ＢＢ１−及び第４の調整された信号ＢＢ２−に分割される。次いで、デジタル変調器２３０は、差動的なローカル周波数信号（すなわち、第１のローカル周波数信号ＬＯ＋又は第２のローカル周波数信号ＬＯ−）を使用することによって、第１の調整された信号ＢＢ１＋、第２の調整された信号ＢＢ２＋、第３の調整された信号ＢＢ１−、及び第４の調整された信号ＢＢ２−を別々に変調し、最後に差動的な無線周波数出力信号（すなわち、第１の無線周波数出力信号ＲＦ＿ｄａｔａ＋及び第２の無線周波数出力信号ＲＦ＿ｄａｔａ−）を生成する。前述の実施形態におけるシングルエンドの入力送信機とは異なり、この実施形態における差動入力をサポートする送信機は、ＮＡＮＤゲート、ＮＯＲゲート、及び位相インバータの接続を使用することによって差動信号の処理を実施する。差動的な無線周波数出力信号（すなわち、第１の無線周波数出力信号ＲＦ＿ｄａｔａ＋及び第２の無線周波数出力信号ＲＦ＿ｄａｔａ−）の論理式は別々に、下記のとおりである。
（ＲＦ＿ｄａｔａ＋）＝（（ＬＯ＋）∩（ＢＢ１＋））∪（（ＬＯ−）∩（ＢＢ２−））  （式３）
（ＲＦ＿ｄａｔａ−）＝（（ＬＯ−）∩（ＢＢ２＋））∪（（ＬＯ＋）∩（ＢＢ１−））  （式４）
【００５７】
図８は、さまざまな時点に対応する図７における信号の波形図を示している。第１の同期回路２１０によって第１のデジタルベースバンド信号ＢＢ＋が調整された後に、第１の調整された信号ＢＢ１＋及び第２の調整された信号ＢＢ２＋が出力されるということが、図８を参照すれば見て取られることが可能である。第１の調整された信号ＢＢ１＋及び第２の調整された信号ＢＢ２＋は、第１のデジタルベースバンド信号ＢＢ＋とは位相遅延において異なるだけであり、第１の調整された信号ＢＢ１＋のエッジは、第１のローカル周波数信号ＬＯ＋のローレベル範囲内に入り、第２の調整された信号ＢＢ２＋のエッジは、第２のローカル周波数信号ＬＯ−のローレベル範囲内に入る。同様に、第２の同期回路２２０によって第２のデジタルベースバンド信号ＢＢ−が調整された後に、第３の調整された信号ＢＢ１−及び第４の調整された信号ＢＢ２−が出力される。第３の調整された信号ＢＢ１−及び第４の調整された信号ＢＢ２−は、第２のデジタルベースバンド信号ＢＢ−とは位相遅延において異なるだけであり、第３の調整された信号ＢＢ１−のエッジは、第１のローカル周波数信号ＬＯ＋のローレベル範囲内に入り、第４の調整された信号ＢＢ２−のエッジは、第２のローカル周波数信号ＬＯ−のローレベル範囲内に入る。次いで、第１の調整された信号ＢＢ１＋、第２の調整された信号ＢＢ２＋、第３の調整された信号ＢＢ１−、及び第４の調整された信号ＢＢ２−は別々に、差動的なローカル周波数信号ＬＯ（すなわち、第１のローカル周波数信号ＬＯ＋又は第２のローカル周波数信号ＬＯ−）を使用することによってデジタル変調器２３０において変調され、変調を通じて出力されるすべての２つの信号に対して論理ＯＲ演算が実行された後に、高周波高調波成分を抑制する差動的な無線周波数出力信号（すなわち、第１の無線周波数出力信号ＲＦ＿ｄａｔａ＋及び第２の無線周波数出力信号ＲＦ＿ｄａｔａ−）が取得される。
【００５８】
５０％のデューティーサイクルを伴うローカル周波数信号に関しては、第１のローカル周波数信号ＬＯ＋及び第２のローカル周波数信号ＬＯ−がローレベル範囲にある期間は、信号周期の半分である。エッジとエッジの位置合わせの従来の同期化処理様式と比較すると、この実施形態において提供されるエッジレベルの位置合わせ様式のデジタル同期回路は、入力信号に関する時間シーケンス要件を大幅に低減する。たとえば、２ＧＨｚのローカル周波数信号に関しては、周期の半分の期間は２５０ｐｓであり、第１の同期回路２１０によって出力される第１の調整された信号ＢＢ１＋及び第２の調整された信号ＢＢ２＋、並びに第２の同期回路２２０によって出力される第３の調整された信号ＢＢ１−及び第４の調整された信号ＢＢ２−のエッジは、最終的に出力波形に影響を与えることなく、２５０ｐｓの範囲内でジッタすることが可能である。したがって、それぞれの変調された信号のエッジが、対応するローカル周波数信号のローレベル範囲内に入るということが保証される限り、デジタルベースバンド信号から生じる位相ノイズが抑制されることが可能である。既存のサブマイクロＣＭＯＳ技術においては、Ｄフリップフロップの遅延、技術の不確実性、温度の影響などが考えられる場合でさえ、前述の時間シーケンス要件は、依然として容易に達成されることが可能であり、遅延回路は、デジタルベースバンド信号に対する位相遅延をフレキシブルに制御するために使用されることが可能である。
【００５９】
本発明の実施形態２によって提供されるデジタル送信機の変調回路においては、差動的に入力されるデジタルベースバンド信号（すなわち、第１のデジタルベースバンド信号ＢＢ＋及び第２のデジタルベースバンド信号ＢＢ−）の位相が、第１のローカル周波数信号ＬＯ＋及び第２のローカル周波数信号ＬＯ−を使用することによって調整されて、第１のローカル周波数信号ＬＯ＋のローレベル範囲内に入る信号エッジを伴う第１の調整された信号ＢＢ１＋、第２のローカル周波数信号ＬＯ−のローレベル範囲内に入る信号エッジを伴う第２の調整された信号ＢＢ２＋、第１のローカル周波数信号ＬＯ＋のローレベル範囲内に入る信号エッジを伴う第３の調整された信号ＢＢ１−、及び第２のローカル周波数信号ＬＯ−のローレベル範囲内に入る信号エッジを伴う第４の調整された信号ＢＢ２−を別々に取得する。次いで、別々に、第１の調整された信号ＢＢ１＋が、第１のローカル周波数信号ＬＯ＋を使用することによって変調され、第４の調整された信号ＢＢ２−が、第２のローカル周波数信号ＬＯ−を使用することによって変調され、第２の調整された信号ＢＢ２＋が、第２のローカル周波数信号ＬＯ−を使用することによって変調されるとともに、第３の調整された信号ＢＢ１−が、第１のローカル周波数信号ＬＯ＋を使用することによって変調され、それから、変調後に出力されるすべての２つの無線周波数信号に対して論理ＯＲ演算が実行されて、差動的な無線周波数出力信号（第１の無線周波数出力信号ＲＦ＿ｄａｔａ＋及び第２の無線周波数出力信号ＲＦ＿ｄａｔａ−）を取得する。本発明によって提供されるデジタル送信機の変調回路は、変調された無線周波数信号が、不必要な高周波高調波成分を生成することを防止することができ、デジタルベースバンド信号から生じる位相ノイズを効果的に抑制することができる。
【００６０】
以降では、本発明の実施形態３によって提供されるデジタル送信機を詳細に説明するために一例として図９を使用する。図９は、本発明の実施形態３によるデジタル送信機の概略構造図である。
【００６１】
図９において示されているように、デジタル送信機は、振幅位相分離モジュール３１０、ＡＭ（振幅変調）信号処理モジュール３２０、デジタル位相同期ループ３３０、変調回路３４０、及びデジタル／アナログ変換回路３５０を含む。
【００６２】
変調回路３４０は、本発明の実施形態１において提供されている変調回路である。
【００６３】
振幅位相分離モジュール３１０は、デジタルベースバンド直交信号ＩＱ（同相−直交信号）に対して振幅位相分離を実行し、振幅変調信号ＡＭが、デジタル補間、アップサンプリング、及びデジタルフィルタリングなどの処理のためにＡＭ信号処理モジュール３２０に入り、次いで高速のシングルエンドのデジタルベースバンド信号ＢＢに変換され、デジタル位相同期ループ３３０によって変調された後に、位相変調信号ＰＭが、差動的なローカル周波数信号ＬＯ＋及びＬＯ−の様式で出力される。シングルエンドのデジタルベースバンド信号ＢＢ並びに差動的なローカル周波数信号ＬＯ＋及びＬＯ−は、変調回路３４０によって処理され、次いで無線周波数信号ＬＯ＋＊ＢＢ１及びＬＯ−＊ＢＢ２が生成される。デジタル／アナログ変換回路３５０は、無線周波数信号ＬＯ＋＊ＢＢ１及びＬＯ−＊ＢＢ２を受信し、無線周波数信号ＬＯ＋＊ＢＢ１及びＬＯ−＊ＢＢ２を出力用のアナログ信号に変換する。
【００６４】
前述のデジタル／アナログ変換回路３５０は、特にデジタル電力増幅器又は無線周波数デジタル／アナログコンバータであることが可能であるということに留意されたい。
【００６５】
本発明の実施形態によって提供されるデジタル送信機を使用することによって、デジタルベースバンド信号及びローカル周波数信号の位相の問題によってもたらされる高周波高調波成分が効果的に回避されることが可能であり、デジタルベースバンド信号のノイズが抑制され、それによって、高次高調波を抑制する能力、及びデジタル変調器システムの帯域外ノイズを抑制する能力の両方が改善される。
【００６６】
以降では、本発明の実施形態４によって提供される別のデジタル送信機システムを詳細に説明するために一例として図１０を使用する。図１０は、本発明の実施形態４による別のデジタル送信機システムの概略構造図である。
【００６７】
図１０において示されているように、デジタル送信機は、振幅位相分離モジュール４１０、ＡＭ信号処理モジュール４２０、デジタル位相同期ループ４３０、変調回路４４０、及びデジタル／アナログ変換回路４５０を含む。
【００６８】
変調回路４４０は、本発明の実施形態２において提供されている変調回路である。
【００６９】
振幅位相分離モジュール４１０は、デジタルベースバンド直交信号ＩＱに対して振幅位相分離を実行し、振幅変調信号ＡＭが、デジタル補間、アップサンプリング、及びデジタルフィルタリングなどの処理のためにＡＭ信号処理モジュール４２０に入り、次いで高速の差動的なデジタルベースバンド信号ＢＢ＋及びＢＢ−に変換され、デジタル位相同期ループ４３０によって変調された後に、位相変調信号ＰＭが、差動的なローカル周波数信号ＬＯ＋及びＬＯ−の様式で出力される。差動的なデジタルベースバンド信号ＢＢ＋及びＢＢ−並びに差動的なローカル周波数信号ＬＯ＋及びＬＯ−は、変調回路４４０によって処理され、次いで無線周波数信号ＲＦ＿ｄａｔａ＋及びＲＦ＿ｄａｔａ−が生成される。デジタル／アナログ変換回路４５０は、無線周波数信号ＲＦ＿ｄａｔａ＋及びＲＦ＿ｄａｔａ−を受信し、無線周波数信号ＲＦ＿ｄａｔａ＋及びＲＦ＿ｄａｔａ−を出力用のアナログ信号に変換する。
【００７０】
前述のデジタル／アナログ変換回路４５０は、特にデジタル電力増幅器又は無線周波数デジタル／アナログコンバータであることが可能であるということに留意されたい。
【００７１】
本発明の実施形態によって提供されるデジタル送信機を使用することによって、デジタルベースバンド信号及びローカル周波数信号の位相の問題によってもたらされる高周波高調波成分が効果的に回避されることが可能であり、デジタルベースバンド信号のノイズが抑制され、それによって、高次高調波を抑制する能力、及びデジタル変調器システムの帯域外ノイズを抑制する能力の両方が改善される。
【００７２】
以降では、本発明の実施形態５によって提供される更に別のデジタル送信機を詳細に説明するために一例として図１１を使用する。図１１は、本発明の実施形態５による更に別のデジタル送信機の概略構造図である。
【００７３】
図１１において示されているように、デジタル送信機は、第１のデジタルシグナルプロセッサ５１０、第２のデジタルシグナルプロセッサ５２０、デジタル位相同期ループ５３０、第１の変調回路５４０、第２の変調回路５５０、第１の無線周波数デジタル／アナログコンバータ５６０、及び第２の無線周波数デジタル／アナログコンバータ５７０を含む。
【００７４】
第１の変調回路５４０及び第２の変調回路５５０のそれぞれは、本発明の実施形態２において提供されている変調回路である。
【００７５】
第１のデジタルシグナルプロセッサ５１０は、差動的に入力される第１の入力信号Ｉ＋及びＩ−を受信し、第１のデジタルベースバンド信号ＢＢＩ＋及び第２のデジタルベースバンド信号ＢＢＩ−を生成するように構成されている。
【００７６】
第２のデジタルシグナルプロセッサ５２０は、差動的に入力される第２の入力信号Ｑ＋及びＱ−を受信し、第３のデジタルベースバンド信号ＢＢＱ＋及び第４のデジタルベースバンド信号ＢＢＱ−を生成するように構成されており、第１の入力信号及び第２の入力信号は、同相及び直交信号である。
【００７７】
デジタル位相同期ループ５３０は、ローカル周波数信号の第１のグループ及びローカル周波数信号の第２のグループを生成するように構成されており、ローカル周波数信号の第１のグループは、ローカル周波数信号の第２のグループに直交しており、ローカル周波数信号の第１のグループは、互いに差動的である第１のローカル周波数信号ＬＯＩ＋及び第２のローカル周波数信号ＬＯＩ−を含み、ローカル周波数信号の第２のグループは、互いに差動的である第３のローカル周波数信号ＬＯＱ＋及び第４のローカル周波数信号ＬＯＱ−を含む。
【００７８】
第１の変調回路５４０は、第１のデジタルベースバンド信号ＢＢＩ＋、第２のデジタルベースバンド信号ＢＢＩ−、第１のローカル周波数信号ＬＯＩ＋、及び第２のローカル周波数信号ＬＯＩ−を受信し、第１のローカル周波数信号ＬＯＩ＋に対して位相遅延を実行し、次いで第１のデジタルベースバンド信号ＢＢＩ＋に対して位相調整を実行して、第１の調整された信号を生成し、それによって、第１の調整された信号の立ち上がりエッジ及び立ち下がりエッジが、第１のローカル周波数信号ＬＯＩ＋のローレベル範囲内に入り、第２のローカル周波数信号ＬＯＩ−に対して位相遅延を実行し、次いで第１のデジタルベースバンド信号ＢＢＩ＋に対して位相調整を実行して、第２の調整された信号を生成し、それによって、第２の調整された信号の立ち上がりエッジ及び立ち下がりエッジが、第２のローカル周波数信号ＬＯＩ−のローレベル範囲内に入り、第１のローカル周波数信号ＬＯＩ＋に対して位相遅延を実行し、次いで第２のデジタルベースバンド信号ＢＢＩ−に対して位相調整を実行して、第３の調整された信号を生成し、それによって、第３の調整された信号の立ち上がりエッジ及び立ち下がりエッジが、第１のローカル周波数信号ＬＯＩ＋のローレベル範囲内に入り、第２のローカル周波数信号ＬＯＩ−に対して位相遅延を実行し、次いで第２のデジタルベースバンド信号ＢＢＩ−に対して位相調整を実行して、第４の調整された信号を生成し、それによって、第４の調整された信号の立ち上がりエッジ及び立ち下がりエッジが、第２のローカル周波数信号ＬＯＩ−のローレベル範囲内に入り、第１のローカル周波数信号ＬＯＩ＋を使用することによって第１の調整された信号を変調して、第１の無線周波数信号を生成し、第２のローカル周波数信号ＬＯＩ−を使用することによって第２の調整された信号を変調して、第２の無線周波数信号を生成し、第１のローカル周波数信号ＬＯＩ＋を使用することによって第３の調整された信号を変調して、第３の無線周波数信号を生成し、第２のローカル周波数信号ＬＯＩ−を使用することによって第４の調整された信号を変調して、第４の無線周波数信号を生成し、第１の無線周波数信号及び第４の無線周波数信号を重ねて、第１の無線周波数出力信号Ｉ＿ＲＦ＿ｄａｔａ＋を取得するとともに、第２の無線周波数信号及び第３の無線周波数信号を重ねて、第２の無線周波数出力信号Ｉ＿ＲＦ＿ｄａｔａ−を取得するように構成されている。
【００７９】
第２の変調回路５５０は、第３のデジタルベースバンド信号ＢＢＱ＋、第４のデジタルベースバンド信号ＢＢＱ−、第３のローカル周波数信号ＬＯＱ＋、及び第４のローカル周波数信号ＬＯＱ−を受信し、第３のローカル周波数信号ＬＯＱ＋に対して位相遅延を実行し、次いで第３のデジタルベースバンド信号ＢＢＱ＋に対して位相調整を実行して、第５の調整された信号を生成し、それによって、第５の調整された信号の立ち上がりエッジ及び立ち下がりエッジが、第３のローカル周波数信号ＬＯＱ＋のローレベル範囲内に入り、第４のローカル周波数信号ＬＯＱ−に対して位相遅延を実行し、次いで第３のデジタルベースバンド信号ＢＢＱ＋に対して位相調整を実行して、第６の調整された信号を生成し、それによって、第６の調整された信号の立ち上がりエッジ及び立ち下がりエッジが、第４のローカル周波数信号ＬＯＱ−のローレベル範囲内に入り、第３のローカル周波数信号ＬＯＱ＋に対して位相遅延を実行し、次いで第４のデジタルベースバンド信号ＢＢＱ−に対して位相調整を実行して、第７の調整された信号を生成し、それによって、第７の調整された信号の立ち上がりエッジ及び立ち下がりエッジが、第３のローカル周波数信号ＬＯＱ＋のローレベル範囲内に入り、第４のローカル周波数信号ＬＯＱ−に対して位相遅延を実行し、次いで第４のデジタルベースバンド信号ＢＢＱ−に対して位相調整を実行して、第８の調整された信号を生成し、それによって、第８の調整された信号の立ち上がりエッジ及び立ち下がりエッジが、第４のローカル周波数信号ＬＯＱ−のローレベル範囲内に入り、第３のローカル周波数信号ＬＯＱ＋を使用することによって第５の調整された信号を変調して、第５の無線周波数信号を生成し、第４のローカル周波数信号ＬＯＱ−を使用することによって第６の調整された信号を変調して、第６の無線周波数信号を生成し、第３のローカル周波数信号ＬＯＱ＋を使用することによって第７の調整された信号を変調して、第７の無線周波数信号を生成し、第４のローカル周波数信号ＬＯＱ−を使用することによって第８の調整された信号を変調して、第８の無線周波数信号を生成し、第５の無線周波数信号及び第８の無線周波数信号を重ねて、第３の無線周波数出力信号Ｑ＿ＲＦ＿ｄａｔａ＋を取得するとともに、第６の無線周波数信号及び第７の無線周波数信号を重ねて、第４の無線周波数出力信号Ｑ＿ＲＦ＿ｄａｔａ−を取得するように構成されている。
【００８０】
第１の無線周波数デジタル／アナログコンバータ５６０は、第１の無線周波数出力信号Ｉ＿ＲＦ＿ｄａｔａ＋及び第２の無線周波数出力信号Ｉ＿ＲＦ＿ｄａｔａ−を出力用の第１のアナログ信号に変換する。
【００８１】
第２の無線周波数デジタル／アナログコンバータ５７０は、第３の無線周波数出力信号Ｑ＿ＲＦ＿ｄａｔａ＋及び第４の無線周波数出力信号Ｑ＿ＲＦ＿ｄａｔａ−を出力用の第２のアナログ信号に変換する。本発明の実施形態によって提供されるデジタル送信機を使用することによって、デジタルベースバンド信号及びローカル周波数信号の位相の問題によってもたらされる高周波高調波成分が効果的に回避されることが可能であり、デジタルベースバンド信号のノイズが抑制され、それによって、高次高調波を抑制する能力、及びデジタル変調器システムの帯域外ノイズを抑制する能力の両方が改善される。
【００８２】
それに対応して、本発明の一実施形態は、信号変調方法を更に提供する。図１２において示されているように、方法は、下記のステップを含む。
【００８３】
ステップ１２１０：第１のデジタルベースバンド信号及び第１のローカル周波数信号を受信し、第１のローカル周波数信号に対して位相遅延を実行して第１の遅延信号を取得するとともに、第１の遅延信号を使用することによって第１のデジタルベースバンド信号に対して位相調整を実行して、第１の調整された信号を生成し、それによって、第１の調整された信号の立ち上がりエッジ及び立ち下がりエッジが、第１のローカル周波数信号のローレベル範囲内に入る。
【００８４】
ステップ１２２０：第１のデジタルベースバンド信号及び第２のローカル周波数信号を受信し、第２のローカル周波数信号に対して位相遅延を実行して第２の遅延信号を取得するとともに、第２の遅延信号を使用することによって第１のデジタルベースバンド信号に対して位相調整を実行して、第２の調整された信号を生成し、それによって、第２の調整された信号の立ち上がりエッジ及び立ち下がりエッジが、第２のローカル周波数信号のローレベル範囲内に入る。
【００８５】
第１のローカル周波数信号及び第２のローカル周波数信号は、差動信号であり、第１の遅延信号及び第２の遅延信号の位相遅延は同じである。
【００８６】
ステップ１２３０：第１のローカル周波数信号を使用することによって第１の調整された信号を変調して、第１の無線周波数信号を生成し、第２のローカル周波数信号を使用することによって第２の調整された信号を変調して、第２の無線周波数信号を生成する。
【００８７】
前述のステップ１２１０及びステップ１２２０は、前述のシーケンスで実行されることが可能であるか、又は同時に実行されることが可能であるか、又はステップ１２２０が最初に実行されることが可能であり、次いでステップ１２１０が実行される。
【００８８】
任意選択で、方法は、下記を更に含む。
【００８９】
ステップ１２４０：第２のデジタルベースバンド信号及び第１のローカル周波数信号を受信し、第１のローカル周波数信号に対して位相遅延を実行して第３の遅延信号を取得するとともに、第３の遅延信号を使用することによって第２のデジタルベースバンド信号に対して位相調整を実行して、第３の調整された信号を生成し、それによって、第３の調整された信号の立ち上がりエッジ及び立ち下がりエッジが、第１のローカル周波数信号のローレベル範囲内に入る。
【００９０】
ステップ１２５０：第２のデジタルベースバンド信号及び第２のローカル周波数信号を受信し、第２のローカル周波数信号に対して位相遅延を実行して第４の遅延信号を取得するとともに、第４の遅延信号を使用することによって第２のデジタルベースバンド信号に対して位相調整を実行して、第４の調整された信号を生成し、それによって、第４の調整された信号の立ち上がりエッジ及び立ち下がりエッジが、第２のローカル周波数信号のローレベル範囲内に入る。
【００９１】
第１のデジタルベースバンド信号及び第２のデジタルベースバンド信号は、差動信号であり、第３の遅延信号及び第４の遅延信号の位相遅延は同じである。
【００９２】
ステップ１２６０：第１のローカル周波数信号を使用することによって第３の調整された信号を変調して、第３の無線周波数信号を生成し、第２のローカル周波数信号を使用することによって第４の調整された信号を変調して、第４の無線周波数信号を生成する。
【００９３】
前述のステップ１２４０〜ステップ１２６０は、ステップ１２１０〜ステップ１２３０と並列に実行されることが可能である。
【００９４】
ステップ１２７０：第１の無線周波数信号及び第４の無線周波数信号を重ねて、第１の無線周波数出力信号を取得するとともに、第２の無線周波数信号及び第３の無線周波数信号を重ねて、第２の無線周波数出力信号を取得する。
【００９５】
本発明の実施形態によって提供される信号変調方法によれば、デジタルベースバンド信号及びローカル周波数信号の位相の問題によってもたらされる高周波高調波成分が効果的に回避されることが可能であり、デジタルベースバンド信号のノイズが抑制され、それによって、高次高調波を抑制する能力、及びデジタル変調器システムの帯域外ノイズを抑制する能力の両方が改善される。
【００９６】
本明細書において開示されている実施形態において説明されている例と組み合わせて、ユニット及びアルゴリズムステップが、電子的ハードウェア、コンピュータソフトウェア、又はそれらの組合せによって実施されることが可能であるということに当業者なら更に気づくことができる。ハードウェアとソフトウェアとの間における互換性を明確に説明するために、上記は、それぞれの例の構成及びステップが機能に従って一般的に説明されている。機能がハードウェアによって実行されるか、又はソフトウェアによって実行されるかは、特定の用途、及び技術的解決策の設計制約条件に依存する。当業者なら、説明されている機能をそれぞれの特定の用途に関して実施するためにさまざまな方法を使用することができるが、その実施は本発明の範囲を超えているとみなされるべきではない。
【００９７】
前述の特定の実施様式においては、本発明の目的、技術的解決策、及び利点が詳細に更に説明されている。前述の説明は、本発明の特定の実施様式にすぎず、本発明の保護範囲を限定することを意図されているものではないということを理解されたい。本発明の趣旨及び原理から逸脱することなく作成されるいかなる修正形態、均等な代替形態、及び改良形態も、本発明の保護範囲内に収まるものとする。
【図１】
0006392378.tif 000002
【図２】
0006392378.tif 000003
【図３】
0006392378.tif 000004
【図４】
0006392378.tif 000005
【図５】
0006392378.tif 000006
【図６】
0006392378.tif 000007
【図７】
0006392378.tif 000008
【図８】
0006392378.tif 000009
【図９】
0006392378.tif 000010
【図１０】
0006392378.tif 000011
【図１１】
0006392378.tif 000012
【図１２】
0006392378.tif 000013